(57)【要約】【課題】耐座屈性及び耐圧性に富んだ扁平形導水管を提供すること。【解決手段】それぞれ可撓性を有する内管２０１、編織網層２０２及び外管２０３を内側からこの順で積層して成り、内管２０１の内部に隔壁２０１１を長手方向に沿って配設して、内管２０１の内面の対向する箇所に隔壁２０１１の両側縁をそれぞれ接合し、内管の内部を二つの流路に区画すると共に、内管２０１と隔壁２０１１との接合箇所どうしを隔壁２０１１により引き寄せて、内管２０１の断面を扁平としてある。【選択図】図２
0003137923.tif 000002
【実用新案登録請求の範囲】
【請求項１】
それぞれ可撓性を有する内管、編織網層及び外管を内側からこの順で積層して成り、前記内管の内部に隔壁を長手方向に沿って配設して、前記内管の内面の対向する箇所に前記隔壁の両側縁をそれぞれ接合し、前記内管の内部を二つの流路に区画すると共に、前記内管と隔壁との接合箇所どうしを前記隔壁により引き寄せて、前記内管の断面を扁平としてあることを特徴とした扁平形導水管。
【請求項２】
前記隔壁の端部を切り取ることにより、断面円形に復帰した蛇口接続用の管口部を有する請求項１に記載の扁平形導水管。
【請求項３】
前記隔壁の端部を切り取ることにより、断面円形に復帰したシャワーヘッド接続用の管口部を有する請求項１に記載の扁平形導水管。
【請求項４】
前記隔壁の端部を切り取ることにより、断面円形に復帰したジョイント接続用の管口部を有する請求項１に記載の扁平形導水管。
【請求項５】
前記編織網層はポリセステル糸を編織して成る請求項１〜４のいずれかに記載の扁平形導水管。
【請求項６】
前記編織網層はナイロン糸を編織して成る請求項１〜４のいずれかに記載の扁平形導水管。
【考案の詳細な説明】
【技術分野】
【０００１】
本考案は、断面が扁平で軟質の扁平形導水管に関する。
【背景技術】
【０００２】
一般的な軟質導水管は、断面円形で湾曲することができ、水源から任意の使用箇所へ水を導くのに用いられる。例えば、導水管の一端を水道の蛇口に接続し、導水管を庭等へ引き出して、導水管の他端から出水し、庭に水をまいたり、物品を洗ったりする。
ところが、このような断面円形の軟質導水管は、湾曲させる角度が大きすぎると折れ曲がって、流路を流れる水が座屈箇所で遮断されてしまう。また、導水管の素材によっては、いったん座屈を起こすと折れ痕が残ってしまい、その後、水が円滑に流れなくなることもある。
【０００３】
また、従来、良好な耐圧性を備え、折れ曲がり難い扁平形の導水管が知られている（特許文献１参照）。図１に示すように、この扁平形導水管１０は、内部に複数本の流水路１０１を設けてあり、流水路１０１が比較的硬い材質から成るため、耐圧性に優れているものの、自由に湾曲させることができない。
また、流水路１０１の形が非常に特殊なので、一般的なシャワーヘッドや蛇口に直接接続することができず、特殊な規格のジョイント（三孔ジョイント）１０２を介在させなければならない。このため、使用者にとっては非常に不便であり、購入価格も高くついてしまう。
【０００４】
【特許文献１】台湾実用新案第Ｍ２４７７４７号明細書
【考案の開示】
【考案が解決しようとする課題】
【０００５】
本考案が解決しようとする課題は、耐座屈性及び耐圧性に富んだ扁平形導水管を提供することにある。
【課題を解決するための手段】
【０００６】
本考案の扁平形導水管は、それぞれ可撓性を有する内管、編織網層及び外管を内側からこの順で積層して成り、前記内管の内部に隔壁を長手方向に沿って配設して、前記内管の内面の対向する箇所に前記隔壁の両側縁をそれぞれ接合し、前記内管の内部を二つの流路に区画すると共に、前記内管と隔壁との接合箇所どうしを前記隔壁により引き寄せて、前記内管の断面を扁平としてある。
前記隔壁の端部を切り取ることにより、断面円形に復帰した蛇口接続用の管口部、シャワーヘッド接続用の管口部、及び、ジョイント接続用の管口部のいずれかを有することがある。
前記編織網層は、ポリセステル糸又はナイロン糸を編織して形成しても良い。
【考案の効果】
【０００７】
本考案によれば、座屈を引き起こす程度に湾曲しても、隔壁を設けたことによってその両側の流路が潰れることなく空間を維持するので、水流が遮断されることは無く、円滑に水が流れ、湾曲させようとする圧力が消えると、速やかに元の形状に戻って折り痕が残る虞が無い。
また、隔壁の端部を切り取ることによって、管口部が扁平な断面から円形断面に戻るため、一般的な構造の水道の蛇口、シャワーヘッド、円筒状のジョイント等を容易に取り付けることができ、使用上便利であるばかりか、特殊な形状のジョイントが不要で、低廉な価格で使用することができる。
【考案を実施するための最良の形態】
【０００８】
以下、本考案の実施例を図面に基づいて詳細に説明する。
図２に示すように、本考案の扁平形導水管２０は、それぞれ可撓性を有する内管２０１、編織網層２０２及び外管２０３を内側からこの順で積層して成る。
内管２０１の内部には隔壁２０１１が長手方向に沿って配設され、隔壁２０１１によって内管２０１の内部が二つの流路に区画されている。
また、隔壁２０１１の幅は内管２０１の本来の直径よりも狭く、内管２０１の内面の対向する箇所に隔壁２０１１の両側縁がそれぞれ接合されている。この結果、内管２０１と隔壁２０１１との接合箇所どうしが隔壁２０１１により引き寄せられて、内管２０１の断面が扁平となっている。
【０００９】
隔壁２０１１を設けてあるので内管２０１の耐座屈性が増し、扁平形導水管２０を湾曲させても、隔壁２０１１の両側の流路は潰れずに空間が維持されるので、水流が遮断されること無く円滑に水が流れる。また、使用後、扁平形導水管２０を湾曲させていた圧力が消えると、速やかに扁平形導水管２０は元の形状に復帰する。
編織網層２０２は、ポリエステル、ナイロン等の強靭な繊維を素材とする糸を編織して成る。この編織網層２０２を介在したことで扁平形導水管２０が補強されると共に、内管２０１と外管２０３との結合力及び扁平形導水管２０の厚みが増し、扁平形導水管２０の単位面積あたりの許容圧力が増加するので、扁平形導水管２０の内部の水圧が高まったり、外面に重圧を受けても、扁平形導水管２０が破裂することは無い。
【００１０】
扁平形導水管２０を水道の蛇口、シャワーヘッド等に接続する場合は、図３に示すように、隔壁２０１１の端部を内管２０１の内面に沿って切り取り、隔壁２０１１の端部に欠損部２０１２を形成する。
すると、隔壁２０１１が内管２０１の壁面を引き寄せていた力が消滅するので、図４に示すように、内管２０１の端部は自然に広がり、扁平形導水管２０の管口部は断面円形となり、蛇口やシャワーヘッドを容易に取り付けることができる。
【００１１】
管口の断面が円形となった扁平形導水管２０には、図５に示すように、ジョイント３０を装着できる。
ジョイント３０は、それぞれ円筒状の管カバー３０１、コネクタ３０２及び接続部カバー３０３を有する。コネクタ３０２の外径は、円形に広がった扁平形導水管２０の管口内径よりやや小さく、管カバー３０１及び接続部カバー３０３の内径は、コネクタ３０２の外径より大きく形成されている。また、コネクタ３０２の外周一端側に管カバー３０１が嵌合され、コネクタ３０２の外周他端側に接続部カバー３０３が嵌合されている。
【００１２】
そして、コネクタ３０２の一端部を扁平形導水管２０の管口に挿入して隔壁２０１１の欠損部２０１２に係合し、管カバー３０１を扁平形導水管２０の管口外面に被せてジョイント３０を扁平形導水管２０に装着する。
ジョイント３０と対向する他のジョイント（図示せず）は接続部カバー３０３を有しておらず、ジョイント３０の接続部カバー３０３を他のジョイントのコネクタ外周に嵌合してジョイントどうしを接合する。
【図面の簡単な説明】
【００１３】
【図１】従来の扁平形導水管の斜視図。
【図２】本考案の実施例を示す扁平形導水管の分解斜視図。
【図３】扁平形導水管の隔壁切り取り箇所を示す斜視図。
【図４】扁平形導水管の断面円形に広がった管口の斜視図。
【図５】ジョイントを接続した扁平形導水管の管口部断面図。
【符号の説明】
【００１４】
２０  扁平形導水管
２０１  内管
２０１１  隔壁
２０１２  欠損部
２０２  編織網層
２０３  外管
３０  ジョイント
３０１  管カバー
３０２  コネクタ
３０３  接続部カバー
【図１】
0003137923.tif 000003
【図２】
0003137923.tif 000004
【図３】
0003137923.tif 000005
【図４】
0003137923.tif 000006
【図５】
0003137923.tif 000007